(57)【要約】      （修正有）【課題】ディスプレイモジュールを備えたボタン構造体を提供する。【解決手段】ボタン構造体１は、主に、押圧カバー１０と、ディスプレイモジュール１１と、底板１２と、制御スイッチ１３と、伸縮端子１４を含み、該ディスプレイモジュールが回路構造１５に電気的に接続され、かつ収容空間内に設置され、該底板が該押圧カバーに取り付けられ、かつ該ディスプレイモジュールと該回路構造を規制して該収容空間内に固定し、該制御スイッチが回路板１６に電気的に接続され、かつ該底板に固定され、該回路構造と該回路板の間が伸縮端子により電気的に接続され、該底板該押圧カバーの相互の嵌合と伸縮端子の組み合わせにより該押圧カバーを任意の位置に押圧したとき、施力が不均一な状態下でも、該底板を通じて該押圧カバーを完全に下圧した状態にすることができ、同時に該ディスプレイモジュールを固定して、該押圧カバーの上面と距離を保持し、該ディスプレイモジュールが生成する図柄を維持することができる。【選択図】図２
0003216983.tif 000002
【実用新案登録請求の範囲】
【請求項１】
ディスプレイモジュールを備えたボタン構造体であって、
収容空間が定義された押圧カバーと、
回路構造を備え、該収容空間に設置されたディスプレイモジュールと、
該押圧カバーに設置され、かつ該ディスプレイモジュールを規制して該収容空間に固定する底板と、
回路板に電気的に接続され、該底板に固定された制御スイッチと、
該回路構造と該回路板の間にそれぞれ電気的に接続された複数の伸縮端子と、
を含むことを特徴とする、ディスプレイモジュールを備えたボタン構造体。
【請求項２】
前記伸縮端子が、該回路板に設置された第１導電部材と、該第１導電部材の一端に設置された弾性部材と、該回路構造に設置され、かつ該弾性部材に当接された第２導電部材と、を含むことを特徴とする、請求項１に記載のディスプレイモジュールを備えたボタン構造体。
【請求項３】
前記第１導電部材に、該弾性部材を収容するための設置空間が定義されたことを特徴とする、請求項２に記載のディスプレイモジュールを備えたボタン構造体。
【請求項４】
前記底板の２つの相対する辺に、該押圧カバーと相互に嵌合される係合部がそれぞれ設けられ、別の２つの相対する辺に、各該伸縮端子を挿通させ、該回路構造に電気的に接続させるために用いる凹陥部がそれぞれ設けられたことを特徴とする、請求項１に記載のディスプレイモジュールを備えたボタン構造体。
【請求項５】
前記押圧カバーに、該係合部に対応して連接固定される対応係合部が設けられたことを特徴とする、請求項４に記載のディスプレイモジュールを備えたボタン構造体。
【請求項６】
前記底板の該係合部の位置に押圧空間が形成されたことを特徴とする、請求項４に記載のディスプレイモジュールを備えたボタン構造体。
【請求項７】
前記底板の該制御スイッチに対面する表面に、該制御スイッチに固定する少なくとも１つの固定部材が設置されたことを特徴とする、請求項１に記載のディスプレイモジュールを備えたボタン構造体。
【請求項８】
前記制御スイッチに該固定部材と相互に固定される固定孔が設けられたことを特徴とする、請求項７に記載のディスプレイモジュールを備えたボタン構造体。
【請求項９】
前記ディスプレイモジュールが、アレイＬＥＤまたはＬＣＤであることを特徴とする、請求項１に記載のディスプレイモジュールを備えたボタン構造体。
【請求項１０】
前記伸縮端子がポゴピンまたはばねであることを特徴とする、請求項１に記載のディスプレイモジュールを備えたボタン構造体。
【請求項１１】
前記制御スイッチがゴム(ｒｕｂｂｅｒ)スイッチであることを特徴とする、請求項１に記載のディスプレイモジュールを備えたボタン構造体。
【請求項１２】
さらに座体を含み、該座体に該回路板に電気的に接触させるために用いる複数の接続端子が設置されたことを特徴とする、請求項１に記載のディスプレイモジュールを備えたボタン構造体。
【考案の詳細な説明】
【技術分野】
【０００１】
本考案はボタン構造体に関し、特に、ディスプレイモジュールを備えたボタン構造体に関する。
【背景技術】
【０００２】
一般によく見受けられる表示機能を備えた押圧ボタンは、ほとんどが機械設備や、押圧したか否かを確認する必要がある交通設備または精密設備に応用されている。しかしながら、現有の押圧ボタンの構造の多くが次の２種類の形式に分類される。第１の方法はディスプレイモジュール部分をケーブルで回路板に接続し、信号伝送方法とする方法であるが、この方法はケーブルの関係で仕様寿命が比較的短く、組み立てが容易ではない。もう１つの方法は、固定式ピンヘッダーで上下２つの回路板を接続する方法であり、すなわちピンヘッダーで２つの回路板を接続した後、各回路板の距離は固定されて移動させることができないため、押圧カバーを押圧する前のディスプレイモジュールと押圧カバーの透光表面に比較的長い距離が形成され、特定の角度でディスプレイモジュールに表示される図柄が見えない。押圧カバーが押圧されると、ディスプレイモジュールと押圧カバーの透光表面の距離が短くなり、このときディスプレイモジュールに表示される図柄がよりはっきりと見えるようになるが、このときの図柄は押圧カバー自体の関係で図柄が変形したり、不鮮明になったりすることがある。
【０００３】
上述の問題のほか、ディスプレイモジュールと制御スイッチがいずれも単点方式で接続されるため、押圧カバーに対して施圧したとき不安定になる。すなわち、ディスプレイモジュールが制御スイッチと単点でのみ接触するため、単一の支持力しか得られず、押圧カバーを押圧する力が不均一な状況で片側に傾きが生じ、不確実な押圧となって信号伝送が不安定になり、信号をディスプレイモジュールに表示できないことになりやすい。
【０００４】
以下の実施例において本考案の詳細な特徴および利点について詳細に説明する。その内容は当業者が本考案の技術内容を理解し、それに基づいて実施するに足り、かつ本明細書の開示する内容、特許請求の範囲および図面に基づき、当業者は本考案の関連の目的および利点を容易に理解できるであろう。
【考案の概要】
【考案が解決しようとする課題】
【０００５】
本考案の主な目的は、底板と押圧カバーの相互の嵌合と伸縮端子の組み合わせにより、押圧カバーを完全に下圧でき、同時に各伸縮端子が底板と押圧カバーを一緒に上下させ、さらに底板と押圧カバーによりディスプレイモジュールを固定でき、かつ押圧カバーの上面と距離を保持してディスプレイモジュールが生成する図柄を維持し、表示範囲を向上できる、ディスプレイモジュールを備えたボタン構造体を提供することにある。
【０００６】
本考案の別の目的は、底板とボタンカバーの結合と制御スイッチの組み合わせを通じ、ボタンカバーが力を受けて動作するときの力を平均化、安定化し、信頼性を高めることができる、ディスプレイモジュールを備えたボタン構造体を提供することにある。
【課題を解決するための手段】
【０００７】
上述の目的を達するため、本考案のディスプレイモジュールを備えたボタン構造体は、収容空間が定義された押圧カバーと、回路構造を具備し、該収容空間に設置されたディスプレイモジュールと、該押圧カバーに取り付けられ、かつ該ディスプレイモジュールを規制して該収容空間に固定する底板と、回路板に電気的に接続され、かつ該底板に固定された制御スイッチと、該回路構造と該回路板の間に電気的に接続された複数の伸縮端子と、を含む。
【０００８】
本考案の一実施例によれば、該伸縮端子が、該回路板に設置された第１導電部材と、該第１導電部材の一端に設置された弾性部材と、該回路構造に設置され、かつ該弾性部材に当接された第２導電部材と、を含む。
【０００９】
本考案の一実施例によれば、該第１導電部材に該弾性部材を収容して設置するための設置空間が定義される。
【００１０】
本考案の一実施例によれば、該底板の２つの相対する辺に、該押圧カバーと相互に嵌合される係合部がそれぞれ設けられ、別の２つの相対する辺に、各該伸縮端子を挿通させ、該回路構造に電気的に接続させるために用いる凹陥部がそれぞれ設けられる。
【００１１】
本考案の一実施例によれば、該押圧カバーに、該係合部に対応して連接固定される対応係合部が設けられる。
【００１２】
本考案の一実施例によれば、該底板の該係合部に押圧空間が形成される。
【００１３】
本考案の一実施例によれば、該底板の該制御スイッチに対面する表面に少なくとも１つの該制御スイッチに固定される固定部材が設置される。
【００１４】
本考案の一実施例によれば、該制御スイッチに該固定部材と相互に固定される固定孔が設けられる。
【００１５】
本考案の一実施例によれば、該ディスプレイモジュールがアレイＬＥＤまたはＬＣＤである。
【００１６】
本考案の一実施例によれば、該伸縮端子がポゴピン（ＰＯＧＯ  ＰＩＮ）またはばねである。
【００１７】
本考案の一実施例によれば、該制御スイッチがゴム(ｒｕｂｂｅｒ) スイッチとすることができる。
【００１８】
本考案の一実施例によれば、さらに座体を含み、該座体に該回路板と電気的に接触される複数の接続端子が設置される。
【図面の簡単な説明】
【００１９】
【図１】本考案の最良の実施例の立体外観図である。
【図２】本考案の最良の実施例の立体分解図である。
【図３】本考案の最良の実施例の断面図である。
【図４】本考案の最良の実施例の使用状態を示す断面図である。
【図５】（ａ）本考案にポゴピン伸縮端子を使用した構造の断面図と部分拡大図である。（ｂ）本考案にばねの伸縮端子を使用した構造の断面図と部分拡大図である。
【図６】本考案の別の最良の実施例の断面図である。
【図７】本考案のさらに別の最良の実施例の断面図である。
【考案を実施するための形態】
【００２０】
以下、具体的な実施例を挙げて本考案の実施方法を説明する。この技術分野を熟知した者であれば本明細書に開示された内容から本考案のその他利点と効果を容易に理解できるであろう。
【００２１】
本明細書に添付の図面に描かれた構造、比率、大きさ等はいずれも明細書に記載された内容と組み合わせ、この技術を熟知する人物の理解と閲読に供するものであり、本考案の実施可能な限定条件を限定するものではないため、技術上の実質的意義はなく、あらゆる構造の修飾、比率関係の変更または大きさの調整は、本考案の発生できる効果と達成できる目的に影響しないことを前提に、すべて本考案の開示する技術内容でカバーできる範囲内に含まれる。同時に、本明細書において用いられる「１つ」、「２つ」、「上」などの用語も、説明を明瞭にするためのものであり、本考案の実施可能な範囲を限定するために用いるものではなく、その相対関係の変化や調整も、技術内容を実質的に変更しない場合、本考案の実施可能な範疇に含まれる。
【実施例１】
【００２２】
図１、図２、図３に本考案の最良の実施例の立体外観図、立体分解図、断面図をそれぞれ示す。本考案のディスプレイモジュールを備えたボタン構造体は、ボタン構造体１が主に、押圧カバー１０と、ディスプレイモジュール１１と、底板１２と、制御スイッチ１３（ゴム(ｒｕｂｂｅｒ)スイッチとすることができる）と、伸縮端子１４を含む。そのうち、ディスプレイモジュール１１（アレイＬＥＤまたはＬＣＤとすることができる）が回路構造１５を含み、かつ押圧カバー１０の収容空間１００内に設置される。底板１２は押圧カバー１０に取り付けられ、かつディスプレイモジュール１１を規制して収容空間１００に固定し、制御スイッチ１３が回路板１６に電気的に接続され、かつ底板１２に固定される。回路構造１５と回路板１６の間が伸縮端子１４により電気的に接続される。そのうち、伸縮端子１４は、第１導電部材１４０と、弾性部材１４２と、第２導電部材１４４を含み、第１導電部材１４０が回路板１６に設置され、かつ第１導電部材１４０に弾性部材１４２を収容する設置空間１４００が定義され、第２導電部材１４４が回路構造１５に設置される。使用時は第２導電部材１４４が弾性部材１４２に当接されるため、回路構造１５と回路板１６の間に伸縮端子１４の圧縮を通じて距離上の変化が発生する。
【００２３】
前述のうち底板１２の２つの相対する辺に係合部１２０がそれぞれ設けられ、押圧カバー１０上にも対応係合部１０２が設けられる。底板１２は係合部１２０を通じて押圧カバー１０上の対応係合部１０２と相互に嵌合される。係合部１２０が底板１２の相対する位置に設けられているため、取り付け時は押圧カバー１０の２つの相対する位置に固定する必要があり、これにより押圧カバー１０に施力したとき、施力が不均一でも底板１２を通じて安定して押圧し、傾斜を生じない効果を達成することができる。係合部１２０を対応係合部１０２に楽に固定できるように、係合部１２０の構造に押圧空間１２２が形成されるため、押圧空間１２２を通じて係合部１２０の押圧時に充分な伸縮空間が得られる。このほか、底板１２と押圧カバー１０の組み立て完了後、ディスプレイモジュール１１が押圧カバー１０の収容空間１００内に規制される。より重要なのは、ディスプレイモジュール１１が押圧カバー１０の内面に貼着されることで、押圧カバー１０の上下移動に伴い、同時に位置が変化する点である。
【００２４】
さらに、底板１２の別の２つの対応する辺に凹陥部１２４がそれぞれ定義され、凹陥部１２４は主に各伸縮端子１４を回路構造１５と回路板１６の間に半田付けするために用いることができる。このほか、底板１２の制御スイッチ１３に対面する表面１２６に少なくとも１つの固定部材１２６０が設置され、制御スイッチ１３にも固定部材１２６０と相互に固定される固定孔１３０が設けられ、底板１２と制御スイッチ１３の間の構造が位置決めされる。
【００２５】
併せて図４と図５（ａ）に示す本考案の最良の実施例の使用状態を示す断面図と、ポゴピン伸縮端子を使用した構造の断面図及び部分拡大図を参照する。押圧カバー１０を安定的に移動させ、かつ各伸縮端子１４を通じて底板１２と一緒に上下させてディスプレイモジュールが生成する図柄を維持し、表示範囲を改善するために、主に、まず底板１２上の２つの相対する辺に設けられた係合部１２０と、押圧カバー１０の相対する辺上に設けられた対応係合部１０２を相互に嵌合させ、完了後相互に電気的に接続されたディスプレイモジュール１１が押圧カバー１０の収容空間１００内に規制されて固定される。同時に、回路構造１５と回路板１６の間の接続は伸縮端子１４（ポゴピンまたはばねとすることができる）を利用し、その間の距離が変化する。具体的な使用時は、押圧カバー１０が押圧されると、押圧カバー１０と底板１２及び押圧カバー１０内のディスプレイモジュール１１が同時に下へ移動し、ディスプレイモジュール１１の移動で伸縮端子１４により高低位置が変化する。伸縮端子１４の位置が変化するとき、主にディスプレイモジュール１１が押圧カバー１０の下圧を受けて下へ移動し、同時に第１導電部材１４０を動かして設置空間１４００内に設置された弾性部材１４２を押圧する。このため回路構造１５と回路板１６の間に伸縮端子１４の圧縮による距離上の変化を生じさせることができ、これにより、ボタン構造体１全体が力を受けて動作するとき、その力を平均的に、安定的にして信頼性をより高めることができる。さらに、底板１２と押圧カバー１０を通じ、ディスプレイモジュール１１を固定して押圧カバー１０の上面との間に距離を保持し、ディスプレイモジュール１１が生成する図柄を維持するとともに、表示範囲を果然することができる。
【００２６】
上述の構造のほか、さらに、図５（ｂ）、図６、図７に示す本考案にばねの伸縮端子を使用した構造の断面図と部分拡大図、別の最良の実施例の断面図、さらに別の最良の実施例の断面図をそれぞれ参照する。図６は、押圧カバー１０の対応係合部１０２が押圧カバー１０の内壁面に凹陥されており、また図５（ｂ）は、主な圧縮構造として伸縮端子１４の部分にばね方式が採用されている。主に第１導電部材１４０が回路板１６に設置され、第２導電部材１４４が回路構造１５に設置され、第１導電部材１４０と第２導電部材１４４の間に弾性部材１４２（これもばね）が直接設置されているため、回路構造１５と回路板１６の間に伸縮端子１４の圧縮を通じて距離上の変化が形成される。このほか、制御スイッチ１３はゴム(ｒｕｂｂｅｒ)スイッチを主としており、この制御スイッチ１３はゴム自体の弾性で押圧後にスイッチに接触する効果を達成する。また、回路板１６の底部に座体２が設置され、座体２内に接続端子２０が追加設置されており、これにより回路板１６と座体２の結合を通じて本考案のボタン構造体１を独立した１個のボタン構造体１とすることができる。図７は、押圧カバー１０の対応係合部１０２に、押圧カバー１０の内壁面から延伸された突起を採用しており、座体２の固定に用いられ、その他の部分は図５（ｂ）及び図６と同じであるため、ここでは説明を省略する。
【００２７】
上述の実施例は例示的に本考案の原理及びその効果を説明したものであり、本考案を制限するものではない。関連技術を熟知する者であれば本考案の要旨と範疇を逸脱せずに、上述の実施例に対して変更が可能であろう。したがって、本考案の権利保護範囲は、後述の実用新案登録請求の範囲に記載されたとおりである。
【符号の説明】
【００２８】
１        ボタン構造体
１０      押圧カバー
１００    収容空間
１０２    対応係合部
１１      ディスプレイモジュール
１２      底板
１２０    係合部
１２２    押圧空間
１２４    凹陥部
１２６    表面
１２６０  固定部材
１３      制御スイッチ
１３０    固定孔
１４      伸縮端子
１４０    第１導電部材
１４００  設置空間
１４２    弾性部材
１４４    第２導電部材
１５      回路構造
１６      回路板
２        座体
２０      接続端子
【図１】
0003216983.tif 000003
【図２】
0003216983.tif 000004
【図３】
0003216983.tif 000005
【図４】
0003216983.tif 000006
【図５】
0003216983.tif 000007
【図６】
0003216983.tif 000008
【図７】
0003216983.tif 000009